(57)【要約】【課題】室内に溜まった熱を効果的に排出することができ、快適な居住環境を形成することが可能な建物の通気構造を提供することを目的とする。【解決手段】天井材１の上面から所定間隔離間して天井断熱材２が設けられ、これら天井材１と天井断熱材２との間に、軒先側から給気された空気を通過させる通気経路３が形成されており、天井材１の周縁と外壁４との間に見切り材５が設けられ、この見切り材５は、前記天井材１の下方の部屋６と前記通気経路３とを連通する通気孔５ａを備えていることを特徴とする建物の通気構造。これにより、天井材下方の部屋の天井材付近の温度が、通気経路内の温度よりも高い場合は部屋の熱が通気経路へと伝達され、その上、部屋の天井材付近の暖かい空気は、見切り材の通気孔を介して通気経路へと誘引され、通気経路を通過する空気とともに排出される。【選択図】図１
2008190168.tif 000002
【特許請求の範囲】
【請求項１】
天井材の上面から所定間隔離間して天井断熱材が設けられ、これら天井材と天井断熱材との間に、軒先側から給気された空気を通過させる通気経路が形成されており、
前記天井材の周縁と外壁との間に見切り材が設けられ、この見切り材は、前記天井材の下方の部屋と前記通気経路とを連通する通気孔を備えていることを特徴とする建物の通気構造。
【請求項２】
請求項１に記載の建物の通気構造において、
前記外壁に、前記通気経路に空気を給気するための給気孔が形成されており、この給気孔には、この給気孔を開閉する開閉部材が設けられていることを特徴とする建物の通気構造。
【請求項３】
請求項２に記載の建物の通気構造において、
前記開閉部材は、測定された室内温度および外気温に基づいて開閉動作が制御されていることを特徴とする建物の通気構造。
【請求項４】
請求項２または３に記載の建物の通気構造において、
前記給気孔は、軒裏に設けられる軒天井材の高さ位置よりも上方に位置することによって前記軒天井材上に形成される軒裏空間に開口しており、前記軒天井材は、前記軒裏空間と屋外とを連通する軒天換気孔を備えていることを特徴とする建物の通気構造。
【請求項５】
請求項２または３に記載の建物の通気構造において、
前記外壁の表面に、この外壁の表面から所定の隙間をあけて外装材が取り付けられるとともに、前記給気孔は、軒裏に設けられる軒天井材の高さ位置よりも下方に位置することによって前記隙間に開口しており、
前記外装材の上端と軒天井材との間に軒天見切り材が設けられ、この軒天見切り材は、前記隙間と屋外とを連通する換気孔を備えていることを特徴とする建物の通気構造。
【発明の詳細な説明】
【技術分野】
【０００１】
本発明は、建物の通気構造に関する。
【背景技術】
【０００２】
近年、住宅等の建物においては、空調効果を高めるために、屋内外の空気の出入りを遮断して、室内の熱が屋外に漏れないようにし、建物の内部の空調におけるエネルギー損失を少なくするために、室内の気密性および断熱性を高くした高気密・高断熱建物が利用されている（例えば、特許文献１参照）。
【０００３】
このような高気密・高断熱建物は、外気を効果的に室内に取り入れることで、空調におけるエネルギー損失を極力少なくすることが可能となっている。すなわち、例えば夏場であっても、明け方などは室内温度よりも外気温の方が低い場合があるため、夜から朝までは各部屋の窓やドアを開けておき、朝になってから窓を閉めるようにする。これによって、建物内に比較的低い温度の外気を導入することができるとともに、長時間、外気温よりも室内温度を低く保つことができるようになっている。
【特許文献１】特開２００４−１６２４９８号公報
【発明の開示】
【発明が解決しようとする課題】
【０００４】
ところが、夜から朝までの時間帯は、多くの人が就寝している場合が多い。このため、防犯の面を考慮すると、特に都市部等においては窓を開けながら就寝できないという問題がある。また、同じようにプライバシー保護の観点から窓を開けられなかったり、天候の悪い日なども窓を開けることができない場合がある。
そして、このように窓が開けられないと、日中、室内に熱が溜まってしまい、室内温度が外気温よりも高くなってしまったり、室内温度を低下させるために空調の使用頻度が増えてしまったり等、上記のような高気密・高断熱建物によって得られる効果を活かすことができない場合がある。
【０００５】
本発明の課題は、室内に溜まった熱を効果的に排出することができ、快適な居住環境を形成することが可能な建物の通気構造を提供することを目的とする。
【課題を解決するための手段】
【０００６】
請求項１に記載の発明は、建物の通気構造であり、例えば図１〜図３に示すように、天井材１，１１の上面から所定間隔離間して天井断熱材２，１２が設けられ、これら天井材１，１１と天井断熱材２，１２との間に、軒先側から給気された空気を通過させる通気経路３，１３が形成されており、
前記天井材１，１１の周縁と外壁４，１４との間に見切り材５，１５が設けられ、この見切り材５，１５は、前記天井材１，１１の下方の部屋６と前記通気経路３，１３とを連通する通気孔５ａを備えていることを特徴とする。
【０００７】
請求項１に記載の発明によれば、前記通気経路３，１３を、軒先側から給気された空気が通過することで、通気経路３，１３内の温度が外気温に近くなる。そして、熱は、空気が動かなくても物体の温度の高い方から低い方に伝達される性質を備えているので、前記部屋６の天井材１，１１付近の温度が、通気経路３，１３内の温度よりも高い場合は、部屋６の熱が通気経路３，１３へと伝達されることとなる。その上、暖かい空気はより高い所へと上昇していく性質を備えているので、前記部屋６の天井材１，１１付近に溜まる暖かい空気は、前記見切り材５，１５の通気孔５ａを介して前記通気経路３，１３へと誘引され、通気経路３，１３を通過する空気とともに排出されることとなる。これによって、例えば、夏場に窓を閉め切った状態であっても、室内に溜まった熱を効果的に排出することができるので、快適な居住環境を形成することが可能となる。
【０００８】
請求項２に記載の発明は、例えば図１および図３に示すように、請求項１に記載の建物の通気構造において、
前記外壁４，１４に、前記通気経路３，１３に空気を給気するための給気孔４ａ，１４ａが形成されており、この給気孔４ａ，１４ａには、この給気孔４ａ，１４ａを開閉する開閉部材４ｂ，１４ｂが設けられていることを特徴とする。
【０００９】
請求項２に記載の発明によれば、前記外壁４，１４に、前記通気経路３，１３に空気を給気するための給気孔４ａ，１４ａが形成されているので、軒先側から給気された空気を通気経路３，１３内を確実に通過させることができる。
また、前記給気孔４ａ，１４ａには、この給気孔４ａ，１４ａを開閉する開閉部材４ｂ，１４ｂが設けられていることから、例えば室内温度が外気温よりも高い場合に、前記開閉部材４ｂ，１４ｂで給気孔４ａ，１４ａを開放することによって、通気経路３，１３内の温度が外気温に近くなるので、室内に溜まった熱を効果的に排出することができる。その上、例えば外気温が室内温度よりも高い場合に、前記開閉部材４ｂ，１４ｂで給気孔４ａ，１４ａを閉塞することによって、屋外の暖かい空気が前記通気経路３，１３内を通過することを防ぐとともに、室内の比較的涼しい空気が前記通気経路３，１３へと誘引されるのを防ぐことができるので、室内温度の上昇を防ぐことができる。すなわち、前記開閉部材４ｂ，１４ｂによって給気孔４ａ，１４ａを開閉することで、例えば夏場であっても室内温度が外気温よりも高い場合や、外気温が室内温度よりも高い場合などに確実に対応することができるので、より快適な居住環境を形成することが可能となる。
【００１０】
請求項３に記載の発明は、例えば図１および図３に示すように、請求項２に記載の建物の通気構造において、
前記開閉部材４ｂ，１４ｂは、測定された室内温度および外気温に基づいて開閉動作が制御されていることを特徴とする。
【００１１】
請求項３に記載の発明によれば、前記開閉部材４ｂ，１４ｂは、測定された室内温度および外気温に基づいて開閉動作が制御されているので、室内温度が外気温よりも高い場合や、外気温が室内温度よりも高い場合に適時対応することができ、快適な居住環境を長時間にわたって保持できる。
【００１２】
請求項４に記載の発明は、例えば図１に示すように、請求項２または３に記載の建物の通気構造において、
前記給気孔４ａは、軒裏に設けられる軒天井材７の高さ位置よりも上方に位置することによって前記軒天井材７上に形成される軒裏空間７ｂに開口しており、前記軒天井材７は、前記軒裏空間７ｂと屋外とを連通する軒天換気孔７ａを備えていることを特徴とする。
【００１３】
請求項４に記載の発明によれば、前記給気孔４ａは、軒裏に設けられる軒天井材７の高さ位置よりも上方に位置することによって、前記軒天井材７上に形成される軒裏空間７ｂに開口しており、前記軒天井材７は、前記軒裏空間７ｂと屋外とを連通する軒天換気孔７ａを備えているので、この軒天換気孔７ａから軒裏空間７ｂへと空気を確実に取り入れることができ、取り入れた空気を前記給気孔４ａから通気経路３へと確実に給気することができる。
【００１４】
請求項５に記載の発明は、例えば図３に示すように、請求項２または３に記載の建物の通気構造において、
前記外壁１４の表面に、この外壁１４の表面から所定の隙間１６ａをあけて外装材１６が取り付けられるとともに、前記給気孔１４ａは、軒裏に設けられる軒天井材１７の高さ位置よりも下方に位置することによって前記隙間１６ａに開口しており、
前記外装材１６の上端と軒天井材１７との間に軒天見切り材１８が設けられ、この軒天見切り材１８は、前記隙間１６ａと屋外とを連通する換気孔１８ａを備えていることを特徴とする。
【００１５】
請求項５に記載の発明によれば、前記外壁１４の表面に、この外壁１４の表面から所定の隙間１６ａをあけて外装材１６が取り付けられるとともに、前記給気孔１４ａは、軒裏に設けられる軒天井材１７の高さ位置よりも下方に位置することによって前記隙間１６ａに開口しており、前記外装材１６の上端と軒天井材１７との間に軒天見切り材１８が設けられ、この軒天見切り材１８は、前記隙間１６ａと屋外とを連通する換気孔１８ａを備えているので、この換気孔１８ａから前記隙間１６ａへと空気を確実に取り入れることができ、取り入れた空気を前記給気孔１４ａから通気経路１３へと確実に給気することができる。
【発明の効果】
【００１６】
本発明によれば、天井材と天井断熱材との間に形成された通気経路を、軒先側から給気された空気が通過することで、通気経路内の温度が外気温に近くなる。そして、熱は、空気が動かなくても物体の温度の高い方から低い方に伝達される性質を備えているので、天井材の下方の部屋の天井材付近の温度が、通気経路内の温度よりも高い場合は、部屋の熱が通気経路へと伝達されることとなる。その上、暖かい空気はより高い所へと上昇していく性質を備えているので、部屋の天井材付近に溜まる暖かい空気は、天井材の周縁と外壁との間に設けられた見切り材の通気孔を介して通気経路へと誘引され、通気経路を通過する空気とともに排出されることとなる。これによって、例えば、夏場に窓を閉め切った状態であっても、室内に溜まった熱を効果的に排出することができるので、快適な居住環境を形成することが可能となる。
【発明を実施するための最良の形態】
【００１７】
以下、図面を参照して本発明の実施の形態について説明する。なお、本実施の形態の建物は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１８】
また、このパネルとは、図示はしないが、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填される。
【００１９】
（第１の実施の形態）
本実施の形態の建物の通気構造は、図１および図２に示すように、天井材１の上面から所定間隔離間して天井断熱材２が設けられ、これら天井材１と天井断熱材２との間に、軒先側から給気された空気を通過させる通気経路３が形成されており、前記天井材１の周縁と外壁４との間に見切り材５が設けられ、この見切り材５は、前記天井材１の下方の部屋６と前記通気経路３とを連通する通気孔５ａを備えている。
【００２０】
なお、前記外壁４には、図１に示すように、前記通気経路３に空気を給気するための給気孔４ａが形成されており、軒先側から給気された空気を通気経路３内を確実に通過させることができようになっている。そして、この給気孔４ａには、この給気孔４ａを開閉する開閉部材４ｂが設けられている。
また、前記給気孔４ａは、軒裏に設けられる軒天井材７の高さ位置よりも上方に位置することによって、前記軒天井材７上に形成される軒裏空間７ｂに開口しており、前記軒天井材７は、前記軒裏空間７ｂと屋外とを連通する軒天換気孔７ａを備えている。これによって、この軒天換気孔７ａから軒裏空間７ｂへと空気を確実に取り入れることができ、取り入れた空気を前記給気孔４ａから通気経路３へと確実に給気できるようになっている。
【００２１】
ここで、前記天井材１は、図１に示すように、この天井材１の上面に野縁材１ａが取り付けられており、この野縁材１ａが、屋根を構成する屋根パネルの框材に固定された吊木１ｂに取り付けられることによって、天井材１が所定の高さ位置に設けられている。
【００２２】
また、前記天井断熱材２は、前記外壁４の上部に固定され、複数の桟材を縦横に組んで枠状に形成された支持枠材２ａによって、前記天井材１の上面から所定間隔離間した位置に設けられて支持されている。そして、この天井断熱材２によって小屋裏断熱の効果を得ることができようになっている。
なお、この支持枠材２ａの下面には、この支持枠材２ａの下面全体にわたって防湿シート２ｂが貼り付けられており、この防湿シート２ｂによる防湿効果によって、小屋裏空間を快適に利用することが可能となっている。
【００２３】
また、前記天井材１と天井断熱材２との間に、前記通気経路３が形成されている。この通気経路３は、前記天井材１の上面全体にわたって形成され、軒先側から給気された空気を通気経路３内に満遍なく行き渡らせることができるようになっている。なお、この通気経路３内に、通気を促進するための通気ファン（図示せず）を設けるようにしても良いものとする。
そして、このように前記通気経路３を、軒先側から給気された空気が通過することで、通気経路３内の温度が外気温に近くなる。なお、熱は、空気が動かなくても物体の温度の高い方から低い方に伝達される性質を備えているので、前記部屋６の天井材１付近の温度が、通気経路３内の温度よりも高い場合は、部屋６の熱が通気経路３へと伝達されることとなる。
【００２４】
一方、前記見切り材５は、図１に示すように、前記天井材１の周縁に沿って取り付けられるとともに、前記外壁４の給気孔４ａ近傍に取り付けられた補助野縁４ｃの下面に固定されるようにして、前記天井材１の周縁と外壁４との間に設けられている。
【００２５】
また、この見切り材５は、天井材１の周縁に沿って取り付けられるため長尺に形成されている。そして、図２に示すように、前記天井材１の下面に当接するようにして、天井材１の周縁に取り付けられる取付板部５ｂと、この取付板部５ｂの一端から垂直に所定長さ延出し、前記天井材１の端面を受ける垂直板部５ｃと、この垂直板部５ｃの上端部から前記取付板部５ｂと平行するように延出し、前記補助野縁４ｃの下面に固定される固定板部５ｄとを備えている。
【００２６】
さらに、前記垂直板部５ｃには前記天井材１の下方の部屋６と前記通気経路３とを連通する通気孔５ａが形成されており、この通気孔５ａは、見切り材５の長さ方向に沿って断続的に複数並設されている。また、前記垂直板部５ｃは、前記通気孔５ａを前記天井材１の端面によって閉塞しないような長さ寸法を有している。
【００２７】
このような見切り材５によれば、暖かい空気はより高い所へと上昇していく性質を備えているので、前記部屋６の天井材１付近に溜まる暖かい空気は、前記見切り材５の通気孔５ａを介して前記通気経路３へと誘引され、通気経路３を通過する空気とともに排出されることとなる。これによって、例えば、夏場に窓を閉め切った状態であっても、室内に溜まった熱を効果的に排出することができる。
さらに、例えば夏場に窓を閉め切って通気を図る状況としては、例えばプライバシーの保護や防犯上の理由、時間帯、悪天候など種々の状況が考えられるが、いずれかに限定されるものではない。
また、冬場であっても、例えば室内温度が外気温よりも低かった場合は、前記開閉部材４ｂによって給気孔４ａを開放し、通気経路３内により暖かい空気を取り入れて、部屋６を暖めるようにしても良い。
【００２８】
続いて、前記開閉部材４ｂは、図１に示すように、例えば前記給気孔４ａを開放または閉塞可能な大きさに形成された板状体であり、前記給気孔４ａ内に回動可能に設けられることによって、前記給気孔４ａを開閉できるようになっている。
【００２９】
そして、このように前記給気孔４ａに開閉部材４ｂが設けられることによって、例えば室内温度が外気温よりも高い場合に、前記開閉部材４ｂで給気孔４ａを開放することによって、通気経路３内の温度が外気温に近くなるので、室内に溜まった熱を効果的に排出することができる。
その上、例えば外気温が室内温度よりも高い場合に、前記開閉部材４ｂで給気孔４ａを閉塞することによって、屋外の暖かい空気が前記通気経路３内を通過することを防ぐとともに、室内の比較的涼しい空気が前記通気経路３へと誘引されるのを防ぐことができるので、室内温度の上昇を防ぐことができる。
すなわち、前記開閉部材４ｂによって給気孔４ａを開閉することで、例えば夏場であっても室内温度が外気温よりも高い場合や、外気温が室内温度よりも高い場合などに確実に対応することができるので、より快適な居住環境を形成することが可能となる。
【００３０】
しかも、前記開閉部材４ｂは、測定された室内温度および外気温に基づいて開閉動作が制御されており、室内温度が外気温よりも高い場合や、外気温が室内温度よりも高い場合に適時対応することができ、快適な居住環境を長時間にわたって保持できるようになっている。  
【００３１】
つまり、室内温度を測定するために、前記天井材１の下方の部屋６には室内温度計（図示せず）が設けられ、外気温を測定するために、屋外には屋外温度計（図示せず）が設けられている。
また、これら室内温度計および屋外温度計は、前記開閉部材４ｂの開閉動作を制御する制御装置（図示せず）に接続されており、この制御装置は、前記開閉部材４ｂに接続されている。
【００３２】
前記制御装置による開閉部材４ｂの開閉動作の制御の仕方としては様々な方法が挙げられる。例えば、前記室内温度計および屋外温度計を、気温が１℃変化する毎に温度データを制御装置に伝達するように設定しておき、温度データが伝達された際に、制御装置が、室内温度に対して外気温が高温であるかまたは低温であるかを計算するように設定しておく。
この時、室内温度が外気温よりも高ければ、前記開閉部材４ｂに、開閉部材４ｂによって給気孔４ａを開放する開放指示信号を伝達し、逆に外気温が室内温度よりも高ければ、前記開閉部材４ｂで給気孔４ａを閉塞する閉塞指示信号を伝達する。また、気温が１℃変化したことによって室内温度と外気温とが同じになった場合は、制御装置から開閉部材４ｂへの各種指示信号は伝達されないようになっている。このようにして前記制御装置による開閉部材４ｂの開閉動作を制御する。
【００３３】
なお、本実施の形態における制御装置による開閉部材４ｂの開閉動作の制御の仕方として、上述のように説明したが、これに限られるものではなく、本発明の趣旨を逸脱しない範囲で適宜変更可能である。
【００３４】
本実施の形態によれば、前記通気経路３を、軒先側から給気された空気が通過することで、通気経路３内の温度が外気温に近くなる。そして、熱は、空気が動かなくても物体の温度の高い方から低い方に伝達される性質を備えているので、前記部屋６の天井材１付近の温度が、通気経路３内の温度よりも高い場合は、部屋６の熱が通気経路３へと伝達されることとなる。その上、暖かい空気はより高い所へと上昇していく性質を備えているので、前記部屋６の天井材１付近に溜まる暖かい空気は、前記見切り材５の通気孔５ａを介して前記通気経路３へと誘引され、通気経路３を通過する空気とともに排出されることとなる。これによって、例えば、夏場に窓を閉め切った状態であっても、室内に溜まった熱を効果的に排出することができるので、快適な居住環境を形成することが可能となる。
【００３５】
（第２の実施の形態）
次に、図面を参照して本発明の第２の実施の形態について説明する。なお、説明の便宜上、上述した第１の実施の形態とは異なる構成部分のみについて説明する。すなわち、本実施の形態の軒天井材１７の高さ位置、軒の出の寸法等、軒部分の納まりが第１の実施の形態とは異なるものである。
【００３６】
本実施の形態の建物の通気構造は、図３に示すように、外壁１４の表面に、この外壁１４の表面から所定の隙間１６ａをあけて外装材１６が取り付けられるとともに、外壁１４に形成された給気孔１４ａは、軒裏に設けられる軒天井材１７の高さ位置よりも下方に位置することによって前記隙間１６ａに開口しており、前記外装材１６の上端と軒天井材１７との間に軒天見切り材１８が設けられ、この軒天見切り材１８は、前記隙間１６ａと屋外とを連通する換気孔１８ａを備えている。
【００３７】
なお、本実施の形態の天井材１１の上面から所定間隔離間して天井断熱材１２が設けられ、これら天井材１１と天井断熱材１２との間に通気経路１３が形成され、さらに前記天井材１１の周縁と外壁１４との間に見切り材１５が設けられている。
また、前記給気孔１４ａには、この給気孔１４ａを開閉する開閉部材１４ｂが設けられている。
【００３８】
すなわち、前記給気孔１４ａは、前記軒天井材１７の高さ位置よりも下方に位置することになるので、軒天井材１７の下方に位置する外壁１４には外装材１６が取り付けられ、この外装材１６の裏面側に前記給気孔１４ａが隠れた状態となっている。そして、この給気孔１４ａは、外装材１６の表面側からは不可視である。
【００３９】
一方、前記軒天見切り材１８は、前記換気孔１８ａを備えているため、この換気孔１８ａを塞がないように前記外装材１６の上端部に設けられている。また、この軒天見切り材１８は、外装材１６の上端部に沿って長尺に形成されている。
なお、この軒天見切り材１８の換気孔１８ａは、図示はしないが、軒天見切り材１８の長さ方向に沿って断続的に複数並設されている。
【００４０】
本実施の形態によれば、第１の実施の形態と同じ効果を得ることができるとともに、前記外壁１４の表面に、この外壁１４の表面から所定の隙間１６ａをあけて外装材１６が取り付けられるとともに、前記給気孔１４ａは、軒裏に設けられる軒天井材１７の高さ位置よりも下方に位置することによって前記隙間１６ａに開口しており、前記外装材１６の上端と軒天井材１７との間に軒天見切り材１８が設けられ、この軒天見切り材１８は、前記隙間１６ａと屋外とを連通する換気孔１８ａを備えているので、この換気孔１８ａから前記隙間１６ａへと空気を確実に取り入れることができ、取り入れた空気を前記給気孔１４ａから通気経路１３へと確実に給気することができる。
【図面の簡単な説明】
【００４１】
【図１】本発明に係る建物の通気構造の第１の実施の形態を示す断面図である。
【図２】見切り材を示す斜視図である。
【図３】本発明に係る建物の通気構造の第２の実施の形態を示す断面図である。
【符号の説明】
【００４２】
１  天井材
２  天井断熱材
３  通気経路
４  外壁
５  見切り材
５ａ  通気孔
【図１】
2008190168.tif 000003
【図２】
2008190168.tif 000004
【図３】
2008190168.tif 000005